(57)【要約】      （修正有）【課題】開口を設けた内フラップを内側へ折り込み、先端に差込片を設けた外フラップを基端の折り目で折り曲げて内側へ折り込み、その外フラップの差込片を内フラップの開口に差し込む方法で少なくとも底面が組み立てられた段ボール箱において、外フラップに引き抜き方向の力が作用しても、差込片の差し込み状態を強固に保持することができる段ボール箱のフラップ係止構造を提供する。【解決手段】内フラップ３０の開口３２より先端側となる差込片の位置に切れ目２５を横端から横方向に設け、開口３２に差し込まれた差込片を内部側へ抑える抑え片３５を内フラップ３０の開口３２付近に設ける。差込片を開口３２に差し込むと、差込片が抑え片３５で抑えられて切れ目２５に段差が形成される。よって、外フラップ２０に引き抜き方向の力が作用しても、段差部分の切れ目端と開口端が係止する。【選択図】図７
0003171407.tif 000002
【実用新案登録請求の範囲】
【請求項１】
平面に開口を設けた内フラップを内側へ折り込み、先端に差込片を設けた外フラップを基端の折り目で折り曲げて内側へ折り込み、その外フラップの差込片を内フラップの開口に差し込む方法で少なくとも底面が組み立てられた段ボール箱において、前記内フラップの開口より先端側となる差込片の位置に切れ目を横端から横方向に設け、開口に差し込まれた差込片を内部側へ抑える抑え片を内フラップの開口付近に設け、その抑え片の抑えで切れ目に段差が形成されていることを特徴とする、段ボール箱のフラップ係止構造。
【請求項２】
外フラップが、左右一対の差込片を互いが近接する方向へ傾斜させて対称に設けたもので、内フラップが、左右一対の略Ｌ字状の開口を対称に設け且つその開口の差込み元側の端部に重ね片を折り曲げ可能に設けたもので、開口に差し込まれた差込片が内フラップの抑え片と重ね片で挟まれるようにした、請求項１記載の段ボール箱のフラップ係止構造。
【請求項３】
内フラップの開口の外側端部に切れ目の段差を解消する器具を差し込むための差込口を形成し、外フラップの先端に指掛け部を形成した、請求項１又は２記載の段ボール箱のフラップ係止構造。
【考案の詳細な説明】
【技術分野】
【０００１】
本考案は、段ボール箱の底抜けを防止できるフラップの係止構造に関する。
【背景技術】
【０００２】
粘着テープ等を用いることなくフラップを固定できる段ボール箱が特許文献１に開示されている。この技術は、外フラップの先端に左右一対の差込片を互いが近接する方向へ傾斜させて対称に設け、内フラップの平面に左右一対の略Ｌ字状の開口を対称に設け且つその開口の差込み元側の端部に重ね片を折り曲げ可能に設けたことを特徴としている。この技術によれば、差込片を開口に差し込むと差込片が内フラップと重ね片で挟まれ、収容物による荷重が作用しても外れにくくなる、というものである。
【０００３】
ところで、段ボール箱を取り扱う際、作業台や他の段ボール箱の上に置いた状態で横方向へ移動させることがあるが、その置いた面との摩擦や凹凸の引っ掛かりで底面の外フラップに引き抜き方向（差込片の差し込み方向と逆）の強い力が作用した場合、差込片が開口から抜けて外フラップが外れてしまうことがあり、係止が不十分であった。
【先行技術文献】
【特許文献】
【０００４】
【特許文献１】特許第３８９７７３７号公報
【考案の概要】
【考案が解決しようとする課題】
【０００５】
本考案が解決しようとする課題は、従来のこれらの問題点を解消し、外フラップに引き抜き方向の力が作用しても、差込片の差し込み状態を強固に保持することにある。
【課題を解決するための手段】
【０００６】
かかる課題を解決した本考案の構成は、
１）  平面に開口を設けた内フラップを内側へ折り込み、先端に差込片を設けた外フラップを基端の折り目で折り曲げて内側へ折り込み、その外フラップの差込片を内フラップの開口に差し込む方法で少なくとも底面が組み立てられた段ボール箱において、前記内フラップの開口より先端側となる差込片の位置に切れ目を横端から横方向に設け、開口に差し込まれた差込片を内部側へ抑える抑え片を内フラップの開口付近に設け、その抑え片の抑えで切れ目に段差が形成されていることを特徴とする、段ボール箱のフラップ係止構造
２）  外フラップが、左右一対の差込片を互いが近接する方向へ傾斜させて対称に設けたもので、内フラップが、左右一対の略Ｌ字状の開口を対称に設け且つその開口の差込み元側の端部に重ね片を折り曲げ可能に設けたもので、開口に差し込まれた差込片が内フラップの抑え片と重ね片で挟まれるようにした、前記１）記載の段ボール箱のフラップ係止構造
３）  内フラップの開口の外側端部に切れ目の段差を解消する器具を差し込むための差込口を形成し、外フラップの先端に指掛け部を形成した、前記１）又は２）記載の段ボール箱のフラップ係止構造
にある。
【考案の効果】
【０００７】
本考案の前記１）記載の構成によれば、外フラップに引き抜き方向の力が作用しても、段差部分の切れ目端と開口端が係止するから、段差を意図的に解消させない限り抜けることがなくなり、差込片の差し込み状態が強固に保持されるようになる。
【０００８】
本考案の前記２）記載の構成によれば、収容物を収容すると、その荷重で差込片が内フラップの抑え片と重ね片でより強く挟まれ、外フラップがさらに外れにくくなる。
【０００９】
本考案の前記３）記載の構成によれば、段ボール箱を解体する場合、差込口に器具を差し込んで差込片の切れ目付近を引き上げると、切れ目の段差が解消される。この状態で指掛け部に指を掛けて外フラップを引き抜き方向へ引くと、基端の折り目で折り曲がって差込片が開口から円滑に引き抜かれ、容易に解体できるようになる。
【図面の簡単な説明】
【００１０】
【図１】実施例の段ボール箱の展開図である。
【図２】実施例の外フラップの拡大図である。
【図３】実施例の内フラップの拡大図である。
【図４】実施例の差込片の差し込みを示す斜視図である。
【図５】実施例の差込片の差し込みを示す断面図である。
【図６】実施例の段ボール箱の上面側の斜視図である。
【図７】実施例の段ボール箱の底面側の斜視図である。
【考案を実施するための形態】
【００１１】
以下、本考案を実施するための形態を実施例と図面に基づいて具体的に説明する。
【実施例】
【００１２】
図１は実施例の段ボール箱の展開図、図２は実施例の外フラップの拡大図、図３は実施例の内フラップの拡大図、図４は実施例の差込片の差し込みを示す斜視図、図５は実施例の差込片の差し込みを示す断面図、図６は実施例の段ボール箱の上面側の斜視図、図７は実施例の段ボール箱の底面側の斜視図である。
【００１３】
図中、１０は側板、１１は糊代、２０は外フラップ、２１は凹部、２２は差込片、２３は押え片、２４は指掛け部、２５は切れ目、２６は折り目、３０は内フラップ、３１は指掛け部、３２は開口、３３は重ね片、３４は折り目、３５は抑え片、３６は差込口、４０は小フラップ、４１は嵌合部、Ａは段ボール箱である。
【００１４】
両面段ボール製であって、図１に示すように、側壁となる四面の側板１０を左右に連設し、最左の側板１０の左端に糊代１１を形成し、側板１０の上端に底面用の外フラップ２０と内フラップ３０を形成し、側板１０の下端に上面用の小フラップ４０を形成している。
【００１５】
外フラップ２０は、図２に示すように、上端に斜めの凹部２１を左右対称に形成して横端が円弧状の差込片２２を左右対称に形成し、その左右の差込片２２の間の部分を押え片２３とし、その押え片２３の上端に指掛け部２４を形成している。差込片２２の下部（内フラップ３０の開口３２に差し込んだ際に開口３２よりやや先端側となる位置）には切れ目２５を横端から横方向に形成し、その切れ目２５の下方位置にミシン目付きの折り目２６を外フラップ２０の左右端に渡って形成している。
【００１６】
内フラップ３０は、図３に示すように、上端に指掛け部３１を２箇所形成し、平面は左右を略Ｌ字状に対称にカットして開口３２を形成し、その開口３２の差込み元側に重ね片３３を折り目３４で折り曲げ可能に形成し、開口３２の差込み先の面部分を抑え片３５としている。開口３２の外側端部には棒状の器具を差し込むための差込口３６を形成している。
【００１７】
小フラップ４０は、図１に示すように、外フラップ２０及び内フラップ３０より小幅で、４面のうち隣接する２面の端部に嵌合部４１を形成している。なお、図１〜３において、破線は折り曲げ線を示している。
【００１８】
本実施例の段ボール箱Ａは、糊代１１を図１において最右の側板１０の右端と接着して筒状に形成し、これを側板１０間の折り曲げ線に沿って折り畳み、多数枚重ねた状態で使用現場に供給される。
【００１９】
以下、組み立てについて説明する。まず、図４（ａ）に示すように、内フラップ３０を内側へ折り込んだ後、重ね片３３を若干押し下げて開口３２を開く。
【００２０】
次に、図４（ｂ）及び図５（ａ）に示すように、外フラップ２０を折り目２６で山折りし、差込片２２を開口３２に差し込むと、図４（ｃ）及び図５（ｂ）に示すように、差込片２２が抑え片３５で抑えられて切れ目２５に段差が形成される。段差の形成が不十分な場合は、差込片２２の切れ目２５付近を若干押し下げるとよい。開口３２の端部と凹部２１は互いが噛み合い、押え片２３は内フラップ３０の上面に重なる。
【００２１】
そして、上下反転させ、小フラップ４０を内側へ折り込んで隣接する嵌合部４１同士を噛み合わせ、図６，７に示す段ボール箱Ａを組み立てる。これにより、収容物を収容すると、その荷重で差込片２２が内フラップ３０の抑え片３５と重ね片３３でより強く挟まれるとともに、押え片２３が内フラップ３０に重なるから、外フラップ２０が外れにくくなる。
【００２２】
その後、この段ボール箱Ａを作業台や他の段ボール箱の上に置いた状態で横方向へ移動させた際、その置いた面との摩擦や凹凸の引っ掛かりで底面の外フラップ２０に引き抜き方向の強い力が作用した場合でも、図５（ｂ）に示す切れ目端と開口端が係止するから抜けることがなく、差し込み状態が強固に保持される。
【００２３】
段ボール箱Ａを解体する場合は、差込口３６に棒状の器具を差し込んで差込片２２の切れ目２５付近を引き上げ、切れ目２５の段差を解消する。あるいは、内部側から器具又は指で差込片２２の切れ目２５付近を押し上げてもよい。この状態で指掛け部２４に指を掛けて外フラップ２０を引くと、折り目２６で折り曲がって差込片２２が開口３２から抜け、外フラップ２０が開放される。内フラップ３０は指掛け部３１に指を掛けて開放し、小フラップ４０は嵌合部４１を外して開放する。そして、側板１０間の折り曲げ線に沿って折り畳む。
【産業上の利用可能性】
【００２４】
本考案の技術は、段ボール箱全般に応用できる。
【符号の説明】
【００２５】
１０  側板
１１  糊代
２０  外フラップ
２１  凹部
２２  差込片
２３  押え片
２４  指掛け部
２５  切れ目
２６  折り目
３０  内フラップ
３１  指掛け部
３２  開口
３３  重ね片
３４  折り目
３５  抑え片
３６  差込口
４０  小フラップ
４１  嵌合部
Ａ    段ボール箱
【図１】
0003171407.tif 000003
【図２】
0003171407.tif 000004
【図３】
0003171407.tif 000005
【図４】
0003171407.tif 000006
【図５】
0003171407.tif 000007
【図６】
0003171407.tif 000008
【図７】
0003171407.tif 000009